(57)【特許請求の範囲】
【請求項１】
第一の範囲で生じる状態を撮影した状態画像を生成する第１撮影手段と、
第二の範囲に存在する監視対象を撮影した監視対象画像を生成する第２撮影手段と、
前記状態画像から特定の状態を検出する特定状態検出手段と、
前記特定の状態が検出された状態画像を用いて、監視対象の状況を解析する監視対象解析手段と、
前記監視対象の状況に基づいて、前記監視対象画像から前記監視対象の特定に用いられる特徴を抽出する監視対象特徴抽出手段と、
特定の状態の種類ごとに、前記監視対象特徴抽出手段が複数の監視対象画像から抽出した各監視対象の特徴同士を比較して、高頻度で現れると推定される監視対象を対象物として特定する対象物特定手段とを備えた
ことを特徴とする対象物監視システム。
【請求項２】
監視対象の状況から、前記第二の範囲に当該監視対象が現れる時刻を予測する時刻予測手段を備え、
第２撮影手段は、前記時刻予測手段によって予測された時刻に基づいて決定される期間の監視対象画像を生成し、
監視対象特徴抽出手段は、前記監視対象画像から前記監視対象の特定に用いられる特徴を抽出する
請求項１記載の対象物監視システム。
【請求項３】
監視対象解析手段は、監視対象の移動状況を解析し、
時刻予測手段は、前記移動状況に基づいて、第二の範囲に当該監視対象が現れる時刻を予測する
請求項２記載の対象物監視システム。
【請求項４】
過去に生成された過去状態画像を記憶する過去状態画像記憶手段を備え、
監視対象解析手段は、特定の状態が検出された状態画像および当該状態画像が撮影される前の所定の期間内に撮影された前記過去状態画像を用いて、監視対象の移動状況を解析する
請求項３記載の対象物監視システム。
【請求項５】
監視対象解析手段は、監視対象の外観を解析し、
監視対象特徴抽出手段は、解析された外観に基づいて特徴を抽出する監視対象を絞り込む
請求項１から請求項４のうちのいずれか１項に記載の対象物監視システム。
【請求項６】
第２撮影手段は、人を監視対象として撮影した監視対象画像を生成し、
監視対象特徴抽出手段は、前記監視対象画像から人の顔特徴を抽出する
請求項１から請求項５のうちのいずれか１項に記載の対象物監視システム。
【請求項７】
対象物特定手段は、同一と推定される特徴が予め定められた件数以上抽出された監視対象を対象物と特定する
請求項１から請求項６のうちのいずれか１項に記載の対象物監視システム。
【請求項８】
監視対象特徴抽出手段は、監視対象の特徴とともに当該監視対象の確からしさを示す確度を算出し、
対象物特定手段は、前記確度を用いて監視対象を特定する
請求項１から請求項７のうちのいずれか１項に記載の対象物監視システム。
【請求項９】
第一の範囲で生じる状態を撮影する第１撮影手段が撮影した状態画像から特定の状態を検出する特定状態検出手段と、
前記特定の状態が検出された状態画像を用いて、監視対象の状況を解析する監視対象解析手段と、
前記監視対象の状況に基づいて、第二の範囲に存在する監視対象を撮影する第２撮影手段によって撮影される監視対象画像から、前記監視対象の特定に用いられる特徴を抽出する監視対象特徴抽出手段と、
特定の状態の種類ごとに、前記監視対象特徴抽出手段が複数の監視対象画像から抽出した各監視対象の特徴同士を比較して、高頻度で現れると推定される監視対象を対象物として特定する対象物特定手段とを備えた
を備えた
ことを特徴とする監視対象抽出装置。
【請求項１０】
監視対象の状況から、第２撮影手段が撮影する第二の範囲に当該監視対象が現れる時刻を予測する時刻予測手段を備え、
監視対象特徴抽出手段は、前記時刻予測手段によって予測された時刻に基づいて決定される期間に前記第２撮影手段によって撮影される監視対象画像から、前記監視対象の特定に用いられる特徴を抽出する
請求項９記載の監視対象抽出装置。
【請求項１１】
第一の範囲で生じる状態を撮影した状態画像を生成し、
前記状態画像から特定の状態を検出し、
前記特定の状態が検出された状態画像を用いて、監視対象の状況を解析し、
前記監視対象の状況に基づいて、第二の範囲に存在する監視対象を撮影した監視対象画像を生成し、
前記監視対象画像から前記監視対象の特定に用いられる特徴を抽出し、
特定の状態の種類ごとに、複数の監視対象画像から抽出された各監視対象の特徴同士を比較して、高頻度で現れると推定される監視対象を対象物として特定する
ことを特徴とする対象物監視方法。
【請求項１２】
監視対象の状況から、第二の範囲に当該監視対象が現れる時刻を予測し、
予測された時刻に基づいて決定される期間に、前記第二の範囲に存在する監視対象を撮影した監視対象画像を生成し、
前記監視対象画像から前記監視対象の特定に用いられる特徴を抽出する
請求項１１記載の対象物監視方法。
【請求項１３】
第一の範囲で生じる状態を撮影する第１撮影手段が撮影した状態画像から特定の状態を検出し、
前記特定の状態が検出された状態画像を用いて、監視対象の状況を解析し、
前記監視対象の状況に基づいて、第二の範囲に存在する監視対象を撮影する第２撮影手段によって撮影される監視対象画像から、前記監視対象の特定に用いられる特徴を抽出し、
特定の状態の種類ごとに、複数の監視対象画像から抽出された各監視対象の特徴同士を比較して、高頻度で現れると推定される監視対象を対象物として特定する
ことを特徴とする監視対象抽出方法。
【請求項１４】
監視対象の状況から、第２撮影手段が撮影する第二の範囲に当該監視対象が現れる時刻を予測し、
予測された時刻に基づいて決定される期間に前記第２撮影手段によって撮影される監視対象画像から、前記監視対象の特定に用いられる特徴を抽出する
請求項１３記載の監視対象抽出方法。
【請求項１５】
コンピュータに、
第一の範囲で生じる状態を撮影する第１撮影手段が撮影した状態画像から特定の状態を検出する特定状態検出処理、
前記特定の状態が検出された状態画像を用いて、監視対象の状況を解析する監視対象解析処理、
前記監視対象の状況に基づいて、第二の範囲に存在する監視対象を撮影する第２撮影手段によって撮影される監視対象画像から、前記監視対象の特定に用いられる特徴を抽出する監視対象特徴抽出処理、および、
特定の状態の種類ごとに、前記監視対象特徴抽出処理で複数の監視対象画像から抽出された各監視対象の特徴同士を比較して、高頻度で現れると推定される監視対象を対象物として特定する対象物特定処理
を実行させるための監視対象抽出プログラム。
【請求項１６】
コンピュータに、
監視対象の状況から、第２撮影手段が撮影する第二の範囲に当該監視対象が現れる時刻を予測する時刻予測処理を実行させ、
監視対象特徴抽出処理で、予測された時刻に基づいて決定される期間に前記第２撮影手段によって撮影される監視対象画像から、前記監視対象の特定に用いられる特徴を抽出させる
請求項１５記載の監視対象抽出プログラム。
【発明の詳細な説明】
【技術分野】
【０００１】
本発明は、注目する対象物を監視する対象物監視システム、監視対象抽出装置、対象物監視方法、監視対象抽出方法および監視対象抽出プログラムに関する。
【背景技術】
【０００２】
監視用に設置されたカメラで撮影される画像から、様々な状況を検出する方法が各種知られている。また、近年、顔照合技術が進歩してきており、人物の顔を撮影するカメラで撮影された画像同士を比較することで、別々の画像に存在する人物が同一人物か否かを判定することが可能になっている。【０００３】
また、ゴミ捨てや落書きなどの問題行動を検知する方法も各種知られている。例えば、非特許文献１には、混雑した状況を監視するカメラで撮影された画像から疑わしき背景の変化を検出することで、問題となる状態を検知する方法が記載されている。
【先行技術文献】
【非特許文献】
【０００４】
【非特許文献１】D.Gibbins, G.N. Newsam and M.J.Brooks, “Detecting Suspicious Background Changes in Video Surveillance of Busy Scenes,” 1996.
【発明の概要】
【発明が解決しようとする課題】
【０００５】
近年、監視用カメラで撮影された画像から、問題となる状態を検知するだけでなく、そのような問題を起した原因を特定することが望まれている。例えば、監視用カメラで撮影される画像から、ゴミ捨てや落書きなどの問題行動を起こす常習犯を自動的に発見できることが好ましい。【０００６】
これを実現するためには、ゴミ捨てや落書きなどの問題行動を検知する技術と、そのような問題行動を起した人物が同一人物か否かを判定する技術の２つの技術が必要になる。しかし、問題行動を検知する技術を用いて、その問題行動を起した人物自身を特定することは難しい。【０００７】
また、問題行動を撮影するためには、混雑した環境下でも他の人物による遮蔽が少なくなるように、俯角が大きいカメラを設置することが望ましい。一方、同一人物か否かを判定するためには、画像間で顔を照合する際の制約から、可能な限り人物の顔を正面から撮影する必要がある。そのため、人物の顔を撮影するためには、俯角が小さいカメラを設置することが望ましい。【０００８】
このように、同一のカメラを利用して上述する２つの技術を同時に実現することは難しい。すなわち、上述する２つの技術を単純に組み合わせただけでは、例えば、問題行動を起こす常習犯を自動的に発見することは困難である。【０００９】
そこで、本発明は、設置されたカメラで撮影される画像から、特定の状態を発生させる原因と考えられる対象物を自動的に収集できる対象物監視システム、監視対象抽出装置、対象物監視方法、監視対象抽出方法および監視対象抽出プログラムを提供することを目的とする。
【課題を解決するための手段】
【００１０】
本発明による対象物監視システムは、第一の範囲で生じる状態を撮影した状態画像を生成する第１撮影手段と、第二の範囲に存在する監視対象を撮影した監視対象画像を生成する第２撮影手段と、状態画像から特定の状態を検出する特定状態検出手段と、特定の状態が検出された状態画像を用いて、監視対象の状況を解析する監視対象解析手段と、監視対象の状況に基づいて、監視対象画像から監視対象の特定に用いられる特徴を抽出する監視対象特徴抽出手段と、特定の状態の種類ごとに、監視対象特徴抽出手段が複数の監視対象画像から抽出した各監視対象の特徴同士を比較して、高頻度で現れると推定される監視対象を対象物として特定する対象物特定手段とを備えたことを特徴とする。
【００１１】
本発明による監視対象抽出装置は、第一の範囲で生じる状態を撮影する第１撮影手段が撮影した状態画像から特定の状態を検出する特定状態検出手段と、特定の状態が検出された状態画像を用いて、監視対象の状況を解析する監視対象解析手段と、監視対象の状況に基づいて、第二の範囲に存在する監視対象を撮影する第２撮影手段によって撮影される監視対象画像から、監視対象の特定に用いられる特徴を抽出する監視対象特徴抽出手段と、特定の状態の種類ごとに、監視対象特徴抽出手段が複数の監視対象画像から抽出した各監視対象の特徴同士を比較して、高頻度で現れると推定される監視対象を対象物として特定する対象物特定手段とを備えたことを特徴とする。
【００１２】
本発明による対象物監視方法は、第一の範囲で生じる状態を撮影した状態画像を生成し、状態画像から特定の状態を検出し、特定の状態が検出された状態画像を用いて、監視対象の状況を解析し、監視対象の状況に基づいて、第二の範囲に存在する監視対象を撮影した監視対象画像を生成し、監視対象画像から監視対象の特定に用いられる特徴を抽出し、特定の状態の種類ごとに、複数の監視対象画像から抽出された各監視対象の特徴同士を比較して、高頻度で現れると推定される監視対象を対象物として特定することを特徴とする。
【００１３】
本発明による監視対象抽出方法は、第一の範囲で生じる状態を撮影する第１撮影手段が撮影した状態画像から特定の状態を検出し、特定の状態が検出された状態画像を用いて、監視対象の状況を解析し、監視対象の状況に基づいて、第二の範囲に存在する監視対象を撮影する第２撮影手段によって撮影される監視対象画像から、監視対象の特定に用いられる特徴を抽出し、特定の状態の種類ごとに、複数の監視対象画像から抽出された各監視対象の特徴同士を比較して、高頻度で現れると推定される監視対象を対象物として特定することを特徴とする。
【００１４】
本発明による監視対象抽出プログラムは、コンピュータに、第一の範囲で生じる状態を撮影する第１撮影手段が撮影した状態画像から特定の状態を検出する特定状態検出処理、特定の状態が検出された状態画像を用いて、監視対象の状況を解析する監視対象解析処理、および、監視対象の状況に基づいて、第二の範囲に存在する監視対象を撮影する第２撮影手段によって撮影される監視対象画像から、監視対象の特定に用いられる特徴を抽出する監視対象抽出処理、および、特定の状態の種類ごとに、監視対象特徴抽出処理で複数の監視対象画像から抽出された各監視対象の特徴同士を比較して、高頻度で現れると推定される監視対象を対象物として特定する対象物特定処理を実行させることを特徴とする。
【発明の効果】
【００１５】
本発明によれば、設置されたカメラで撮影される画像から、特定の状態を発生させる原因と考えられる対象物を自動的に収集できる。
【図面の簡単な説明】
【００１６】
【図１】本発明による対象物監視システムの一実施形態を示すブロック図である。
【図２】状態画像を異なるカメラで撮影した場合の例を示す説明図である。
【図３】対象物監視システムの動作例を示すフローチャートである。
【図４】対象物監視システムの具体例を示す説明図である。
【図５】本発明による対象物監視システムの概要を示すブロック図である。
【図６】本発明による対象物監視システムの他の概要を示すブロック図である。
【図７】本発明による監視対象抽出装置の概要を示すブロック図である。
【図８】本発明による監視対象抽出装置の他の概要を示すブロック図である。
【発明を実施するための形態】
【００１７】
図１は、本発明による対象物監視システムの一実施形態を示すブロック図である。本実施形態の対象物監視システムは、状態検出用カメラ１１と、状態画像記憶手段１２と、監視対象抽出用カメラ１３と、監視対象画像記憶手段１４と、特定状態検出手段１５と、監視対象解析手段１６と、時刻予測手段１７と、監視対象特徴抽出手段１８と、グレーリスト記憶手段１９と、対象物特定手段２０とを備えている。
【００１８】
状態検出用カメラ１１は、特定の状態を検出したい範囲の画像を撮影するために設置されるカメラである。ここで、特定の状態とは、例えば、上述する問題行動（例えば、ゴミ捨て、落書き、たむろ、など）が生じている状態のことを意味する。ただし、特定の状態は、問題行動が生じている状態に限定されず、例えば、好ましい行動が生じている状態であってもよい。
【００１９】
また、所定の範囲内で生じる状態をより適切に検出できる画像を撮影するため、俯角が高くなるように状態検出用カメラ１１が設置されることが好ましい。
【００２０】
以下の説明では、状態検出用カメラ１１が撮影する画像を状態画像と記す。また、後述する監視対象抽出用カメラ１３が撮影する範囲と区別するため、状態検出用カメラ１１が撮影する範囲を第一の範囲と記す。第一の範囲は、状態検出用カメラ１１の設置位置や設置角度、設定するズームなどに応じて定められる。第一の範囲は、例えば、画角で表わされていてもよい。状態検出用カメラ１１は、撮影した状態画像およびその状態画像に関連する情報を状態画像記憶手段１２に登録する。
【００２１】
状態画像記憶手段１２は、状態検出用カメラ１１が撮影した状態画像を記憶する。状態画像記憶手段１２は、状態画像を撮影した時刻や位置、状態画像を撮影したカメラを識別する情報などを、その状態画像と共に記憶していてもよい。
【００２２】
監視対象抽出用カメラ１３は、所定の範囲内に現れる監視対象を撮影するために設置されるカメラである。監視対象は、特定の状態を発生させる原因と考えられる種類の対象物に応じて定められる。例えば、上述するゴミ捨て、落書き、たむろなどの問題行動は、人によって行われることから、監視対象は人になる。このとき、監視対象抽出用カメラ１３は、人を監視対象として撮影した監視対象画像を生成してもよい。
【００２３】
また、例えば、オートバイによるひったくりは、犯人の乗車するオートバイを原因として発生することから、監視対象はオートバイになる。ただし、監視対象は、人間やオートバイに限定されず、例えば、車などであってもよい。
【００２４】
また、監視対象抽出用カメラ１３が撮影する監視対象画像は、後述する監視対象特徴抽出手段１８が監視対象を特定するために利用可能な特徴の抽出に利用される。監視対象の特徴をより適切に抽出可能な画像を撮影するため、俯角が小さくなるように監視対象抽出用カメラ１３が設置されることが好ましい。
【００２５】
以下の説明では、監視対象抽出用カメラ１３が撮影する画像を監視対象画像と記す。また、監視対象抽出用カメラ１３が撮影する範囲を第二の範囲と記す。第二の範囲も、監視対象抽出用カメラ１３の設置位置や設置角度、設定するズームなどに応じて定められる。第二の範囲は、例えば、画角で表わされていてもよい。なお、第一の範囲と第二の範囲は、一部または全部が重複していてもよく、全く重複していなくてもよい。
【００２６】
監視対象抽出用カメラ１３は、撮影した監視対象画像およびその監視対象に関連する情報を監視対象画像記憶手段１４に登録する。
【００２７】
なお、本実施形態では、状態画像を撮影する状態検出用カメラ１１と、監視対象画像を撮影する監視対象抽出用カメラ１３がそれぞれ１台の場合を例示する。ただし、状態画像を撮影するカメラおよび監視対象画像を撮影するカメラは、それぞれ１台に限定されず、２台以上であってもよい。
【００２８】
また、一般に、所定の範囲の状態を撮影するためには、俯角が大きいカメラを設置することが望ましく、監視対象を特定するためには、俯角が小さいカメラを設置することが望ましい。そのため、状態検出用カメラ１１の俯角は、監視対象抽出用カメラ１３の俯角よりも大きくなるように設置される。
【００２９】
監視対象画像記憶手段１４は、監視対象抽出用カメラ１３が撮影した監視対象画像を記憶する。監視対象画像記憶手段１４は、監視対象画像を撮影した時刻や位置、監視対象画像を撮影したカメラを識別する情報などを、その監視対象画像と共に記憶していてもよい。
【００３０】
特定状態検出手段１５は、状態画像から特定の状態を検出する。特定状態検出手段１５は、状態検出用カメラ１１がそのとき撮影した状態画像だけでなく、状態画像記憶手段１２に記憶された過去の状態画像（以下、過去状態画像と記す。）を用いて、特定の状態を検出してもよい。例えば、第一の範囲にゴミ捨てされている状態を検出したい場合、特定状態検出手段１５は、状態検出用カメラ１１が撮影した状態画像や過去状態画像から、問題行動であるゴミ捨て状態を検出する。
【００３１】
特定状態検出手段１５が状態画像から特定の状態を検出する方法は任意である。特定状態検出手段１５は、例えば、非特許文献１に記載された方法を用いて、状態画像から特定の状態を検出してもよいし、他の方法を用いて特定の状態を検出してもよい。
【００３２】
監視対象解析手段１６は、特定の状態が検出された状態画像を用いて、監視対象の状況を解析する。監視対象の状況とは、状態検出用カメラ１１によって撮影された状態画像または状態画像群から特定可能な監視対象の動きや外観を意味する。ただし、監視対象の状況は、個々の監視対象を特定可能な情報である必要はない。例えば、監視対象が人の場合、監視対象の状況として、人の服装や髪型、人の移動状況（例えば、速度や方向）などが挙げられる。また、例えば、監視対象が車の場合、監視対象の状況として、車体の色や形状、車の走行状況などが挙げられる。
【００３３】
このとき、監視対象解析手段１６は、特定の状態が検出された状態画像そのものだけでなく、状態画像記憶手段１２に記憶された過去状態画像を用いて、監視対象の状況を解析してもよい。監視対象解析手段１６は、例えば、特定の状態が検出された状態画像と、その状態画像が撮影される前の所定の期間内（例えば、５秒以内）に撮影された過去状態画像を用いて、監視対象の移動状況を解析してもよい。このように、監視対象解析手段１６が過去状態画像を利用することで、監視対象の状況をより適切に解析できる。
【００３４】
なお、監視対象解析手段１６が解析の対象とする監視対象は、１つであってもよく、複数であってもよい。例えば、監視対象が人の場合、監視対象解析手段１６は、特定の状態が検出された時点で撮影されている全ての人物を疑わしいと判断し、その全ての人物を監視対象としてもよい。
【００３５】
時刻予測手段１７は、監視対象解析手段１６が解析した監視対象の状況から、監視対象抽出用カメラ１３が撮影する範囲（すなわち、第二の範囲）に、その監視対象が現れる時刻を予測する。以下、時刻予測手段１７が予測した時刻を単に予測時刻と記す。
【００３６】
状態検出用カメラ１１が撮影する範囲（第一の範囲）と、監視対象抽出用カメラ１３が撮影する範囲（第二の範囲）は、各カメラを設置する時点で特定可能なため、時刻予測手段１７は、これらの範囲から特定される位置に基づいて、監視対象が第二の範囲に現れる時刻を予測すればよい。
【００３７】
例えば、監視対象解析手段１６が監視対象の移動状況を解析している場合、時刻予測手段１７は、その移動状況に基づいて第二の範囲に監視対象が現れる時刻を予測できる。具体的には、時刻予測手段１７は、状態画像から監視対象の空間位置と、移動方向および速度とを特定し、その空間位置から第二の範囲を示す空間位置に到達する時刻を、特定した移動方向および速度から算出してもよい。
【００３８】
ただし、時刻の予測方法は、上記方法に限定されない。監視対象解析手段１６および時刻予測手段１７は、他の追跡技術を用いて時刻を予測してもよい。例えば、監視対象が状態検出用カメラ１１に撮影されている範囲では、監視対象解析手段１６が、物体追跡の技術を用いて追跡を行ってもよい。また、監視対象が状態検出用カメラ１１に撮影されていない範囲では、時刻予測手段１７が、監視対象の速度を考慮して経過時間を推定し、その推定した経過時間を時刻予測に活用してもよい。
【００３９】
監視対象特徴抽出手段１８は、監視対象画像から監視対象の特定に用いられる特徴を抽出する。このとき、監視対象特徴抽出手段１８は、予測時刻に基づいて決定される期間（以下、予測期間と記す。）の監視対象画像を利用する。この予測期間は、監視者が予め定めてもよく、監視対象解析手段１６が解析した状況に応じて定めてもよい。
【００４０】
監視対象画像から抽出される特徴には、監視対象の内容に応じ、その監視対象を特定可能な特徴が予め選択される。例えば、監視対象が人の場合、監視対象特徴抽出手段１８は、人を特定可能な特徴として顔特徴を監視対象画像から抽出してもよい。また、例えば、監視対象が車の場合、監視対象特徴抽出手段１８は、車を特定可能な特徴としてナンバープレートを監視対象画像から抽出してもよい。なお、ここに挙げた特徴は、監視対象を特定可能な特徴の一例であり、監視対象特徴抽出手段１８は、監視対象を特定可能な特徴として他の特徴を抽出してもよい。
【００４１】
なお、監視対象特徴抽出手段１８は、予測時刻に撮影された監視対象画像のみを利用して監視対象の特徴を抽出してもよい。ただし、監視対象の移動状況は変化する可能性が高いため、予測時刻の前後に余裕を持たせた期間の監視対象画像を利用したほうが、該当する監視対象を特定しやすくなるため、より好ましい。
【００４２】
したがって、監視対象抽出用カメラ１３は、予測期間内の監視対象画像を生成するようにしてもよい。このように、監視対象抽出用カメラ１３が監視対象画像を生成する期間を監視対象が現れると予想される期間に絞り込むことで、対象とする監視対象を特定する精度を向上させることができる。また、このような処理によって、対象とするデータ量を抑制できるとともに、後述する対象物特定手段２０が対象物を特定する処理の計算量を削減できる。
【００４３】
また、監視対象解析手段１６が監視対象の外観を解析している場合、監視対象特徴抽出手段１８は、解析された外観に基づいて、特徴を抽出する監視対象を絞り込んでもよい。例えば、監視対象が人であり、監視対象解析手段１６が人の服装を解析している場合、監視対象特徴抽出手段１８は、その服装から特定される人の特徴を抽出するようにしてもよい。
【００４４】
このように、外観によって特徴を抽出する監視対象を特定することで、カメラ間で関係性の低い監視対象の特徴を抽出する処理を抑制できるため、データ量および抽出処理の計算量も抑制できる。
【００４５】
また、監視対象特徴抽出手段１８は、監視対象の特徴とともに、その監視対象の確からしさを示す確度を算出してもよい。監視対象特徴抽出手段１８は、例えば、予測時刻に近い時刻に撮影された監視対象画像から抽出される監視対象の確度を最も高くし、監視対象画像を撮影した時刻が予測時刻から離れるにしたがって、監視対象の確度を低くするようにしてもよい。
【００４６】
また、例えば、監視対象解析手段１６が監視対象の外観を解析している場合、監視対象特徴抽出手段１８は、解析された外観と、監視対象画像から抽出される監視対象の外観の類似度を監視対象の角度としてもよい。
【００４７】
監視対象特徴抽出手段１８は、抽出した監視対象の特徴およびその監視対象に関連する情報をグレーリスト記憶手段１９に登録する。監視対象特徴抽出手段１８は、例えば、抽出した監視対象の特徴として、顔画像そのものを登録してもよい。
【００４８】
グレーリスト記憶手段１９は、監視対象特徴抽出手段１８が抽出した監視対象の特徴を記憶する。具体的には、グレーリスト記憶手段１９は、監視対象の特徴と、その監視対象を抽出する原因となった特定の状態とを対応付けて記憶する。
【００４９】
グレーリスト記憶手段１９は、特定の状態を検出した状態検出用カメラ１１の識別情報を監視対象と対応付けて記憶してもよい。また、監視対象特徴抽出手段１８が監視対象の確度を算出している場合、グレーリスト記憶手段１９は、その確度を監視対象と対応付けて記憶してもよい。グレーリスト記憶手段１９に記憶された情報は、後述する対象物特定手段２０が対象物を特定する際に利用される情報であることから、以下の説明では、グレーリストと記されることもある。
【００５０】
対象物特定手段２０は、特定の状態の種類ごとに、監視対象特徴抽出手段１８が複数の監視対象画像から抽出した各監視対象の特徴同士を比較して、高頻度で現れる監視対象を対象物として特定する。具体的には、対象物特定手段２０は、グレーリスト記憶手段１９に記憶された監視対象の特徴のうち、特定の状態の種類が共通する各監視対象の特徴同士を比較し、同一と推定される特徴が予め定められた件数以上抽出された監視対象を対象物として特定してもよい。
【００５１】
ここで、比較する監視対象は、特定の状態の種類が共通するのであれば、同一のカメラで撮影された監視対象同士であってもよく、異なるカメラで撮影された監視対象同士であってもよい。
【００５２】
図２は、状態画像を異なるカメラで撮影した場合の例を示す説明図である。図２に示す例では、２台のカメラがそれぞれ異なる範囲の状態画像を撮影しているが、いずれもゴミ捨て状態を検出するものとする。この場合、最終的にグレーリスト記憶手段１９には、監視対象の特徴と、特定の状態としてゴミ捨て状態とを対応付けて記憶することになる。したがって、対象物特定手段２０は、異なるカメラで撮影された状態画像を利用して対象物を特定できる。
【００５３】
また、各監視対象の確度を利用できる場合、対象物特定手段２０は、頻度を算出する要素として各監視対象の確度を利用してもよい。対象物特定手段２０は、例えば、同一と推定される特徴を持つ監視対象を特定し、各監視対象の確度を加算した値を頻度として利用してもよい。また、対象物特定手段２０は、各監視対象の確度をそれぞれ乗じた値を頻度として利用してもよい。
【００５４】
特定状態検出手段１５と、監視対象解析手段１６と、時刻予測手段１７と、監視対象特徴抽出手段１８と、対象物特定手段２０とは、プログラム（監視対象抽出プログラム）に従って動作するコンピュータのＣＰＵによって実現される。例えば、プログラムは、対象物監視システムを実現する情報端末の記憶部（図示せず）に記憶され、ＣＰＵは、そのプログラムを読み込み、プログラムに従って、特定状態検出手段１５、監視対象解析手段１６、時刻予測手段１７、監視対象特徴抽出手段１８および対象物特定手段２０として動作してもよい。
【００５５】
また、状態検出用カメラ１１および監視対象抽出用カメラ１３は、プログラム（監視対象抽出プログラム）に従って動作するＣＰＵの指示に応じて、状態画像および監視対象画像を生成するようにしてもよい。
【００５６】
また、特定状態検出手段１５と、監視対象解析手段１６と、時刻予測手段１７と、監視対象特徴抽出手段１８と、対象物特定手段２０とは、それぞれが専用のハードウェアで実現されていてもよい。例えば、上記説明では、対象物監視システムに対象物特定手段２０が含まれているが、対象物特定手段２０が、別の上位システムで実現されていてもよい。
【００５７】
また、状態画像記憶手段１２と、監視対象画像記憶手段１４と、グレーリスト記憶手段１９とは、例えば、磁気ディスク等により実現される。
【００５８】
次に、本実施形態の対象物監視システムの動作を説明する。図３は、本実施形態の対象物監視システムの動作例を示すフローチャートである。
【００５９】
まず、状態検出用カメラ１１は、第一の範囲で生じる状態を撮影して、状態画像を生成する（ステップＳ１１）。このとき、状態検出用カメラ１１は、状態画像を状態画像記憶手段１２に登録してもよい。特定状態検出手段１５が状態画像から特定の状態を検出すると（ステップＳ１２）、監視対象解析手段１６は、特定の状態が検出された状態画像を用いて、監視対象の状況を解析する（ステップＳ１３）。
【００６０】
時刻予測手段１７は、監視対象の状況から、第二の範囲に監視対象が現れる時刻を予測する（ステップＳ１４）。監視対象抽出用カメラ１３は、予測された時刻に基づいて決定される期間に、第二の範囲に存在する監視対象を撮影した監視対象画像を生成する（ステップＳ１５）。そして、監視対象特徴抽出手段１８は、監視対象画像から、顔特徴など、監視対象の特定に用いられる特徴を抽出し（ステップＳ１６）、抽出した特徴をグレーリスト記憶手段１９に登録する（ステップＳ１７）。
【００６１】
その後、対象物特定手段２０は、特定の状態の種類ごとに各監視対象の特徴同士を比較して、高頻度で現れる監視対象を対象物として特定する（ステップＳ１８）。
【００６２】
次に、本実施形態の対象物監視システムの具体例を説明する。図４は、本実施形態の対象物監視システムの具体例を示す説明図である。図４に示す例は、ゴミ捨て状態を検知して、常習犯と思しき人物を特定する動作の例である。
【００６３】
ゴミ捨て状態を検知するために設置された状態検出用カメラ１１は、定期的に第一の範囲の状態画像を撮影する。特定状態検出手段１５が、状態画像からゴミ捨て状態を検出すると、監視対象解析手段１６は、過去状態画像をさかのぼって常習犯と思しき人物を解析する。
【００６４】
時刻予測手段１７は、監視対象解析手段１６が解析した監視対象の状況から、監視対象抽出用カメラ１３が撮影する範囲に監視対象が現れる時刻を予測する。そして、状態検出用カメラ１１からは離れて設置された監視対象抽出用カメラ１３は、その予測時刻または予測期間で、可能性のあるすべての人物の顔画像を含む監視対象画像を撮影する。
【００６５】
監視対象特徴抽出手段１８は、時間的な制約や、服装の類似性を考慮して、撮影された監視対象画像から監視対象の特徴を抽出し、グレーリスト記憶手段１９に登録する。
【００６６】
特定の状態（ゴミ捨て状態）を検知するたびに、同様の処理が行われ、抽出された監視対象の特徴がグレーリスト記憶手段１９に登録される。そして、対象物特定手段２０は、顔照合技術を用いて、同一と判定された回数の多い人物を抽出し、この人物をブラックリスト（ウォッチリスト）に登録する。
【００６７】
以上のように、本実施形態によれば、状態検出用カメラ１１が第一の範囲で生じる状態を撮影した状態画像を生成し、特定状態検出手段１５が状態画像から特定の状態を検出する。監視対象解析手段１６は、特定の状態が検出された状態画像を用いて、監視対象の状況を解析し、監視対象特徴抽出手段１８は、解析された監視対象の状況に基づいて、監視対象抽出用カメラ１３で撮影される監視対象画像から、監視対象の特定に用いられる特徴を抽出する。
【００６８】
その際、時刻予測手段１７が、監視対象の状況から、第二の範囲にその監視対象が現れる時刻を予測し、監視対象抽出用カメラ１３が、予測された時刻に基づいて決定される期間に、第二の範囲に存在する監視対象を撮影した監視対象画像を生成してもよい。
【００６９】
以上のような構成により、設置されたカメラで撮影される画像から、特定の状態を発生させる原因と考えられる対象物を自動的に収集できる。
【００７０】
また、本実施形態の対象物監視システムは、監視対象の特定が困難であるが特定の状態を検知可能な画像（状態画像）と、特定の状態の検知が困難であるが監視対象を特定できる画像（監視対象画像）の２種類の画像を用いる。状態画像からは、監視対象を特定するまでには至らないが、監視対象を絞り込むための情報（例えば、服装など）が抽出される。また、監視対象画像からは、監視対象を特定するための特徴（例えば、顔特徴）などが抽出される。
【００７１】
本実施形態の対象物監視システムは、このように監視対象の同定のしやすさに相対的な差を有する２種類の情報を利用する。別の言い方をすれば、この２種類の情報は、抽出対象を撮影するカメラの解像度の違いにより、同定のしやすさに差が生じているとも言える。このような異なる性質を有する情報を同時に利用することで、監視対象を効率的に絞り込むことができる。
【００７２】
次に、本発明の概要を説明する。図５は、本発明による対象物監視システムの概要を示すブロック図である。図５に例示する対象物監視システムは、第一の範囲で生じる状態を撮影した状態画像を生成する第１撮影手段６０（例えば、状態検出用カメラ１１）と、第二の範囲に存在する監視対象を撮影した監視対象画像を生成する第２撮影手段７０（例えば、監視対象抽出用カメラ１３）と、状態画像から特定の状態（例えば、ゴミ捨て等）を検出する特定状態検出手段８１（例えば、特定状態検出手段１５）と、特定の状態が検出された状態画像を用いて、監視対象の状況（例えば、移動状況、服装）を解析する監視対象解析手段８２（例えば、監視対象解析手段１６）と、監視対象の状況から、第二の範囲にその監視対象が現れる時刻を予測する時刻予測手段８３（例えば、時刻予測手段１７）と、監視対象画像から監視対象の特定に用いられる特徴（例えば、顔特徴）を抽出する監視対象特徴抽出手段８４（例えば、監視対象特徴抽出手段１８）とを備えている。
【００７３】
第２撮影手段７０は、時刻予測手段８３によって予測された時刻に基づいて決定される期間の監視対象画像を生成する。
【００７４】
そのような構成により、設置されたカメラで撮影される画像から、特定の状態を発生させる原因と考えられる対象物を自動的に収集できる。
【００７５】
また、監視対象解析手段８２は、監視対象の移動状況を解析し、時刻予測手段８３は、移動状況に基づいて、第二の範囲にその監視対象が現れる時刻を予測してもよい。
【００７６】
また、対象物監視システムは、過去に生成された過去状態画像を記憶する過去状態画像記憶手段（例えば、状態画像記憶手段１２）を備えていてもよい。そして、監視対象解析手段８２は、特定の状態が検出された状態画像およびその状態画像が撮影される前の所定の期間内に撮影された過去状態画像を用いて、監視対象の移動状況を解析してもよい。そのような構成によれば、監視対象の移動状況をより適切に判断できる。
【００７７】
また、監視対象解析手段８２は、監視対象の外観（例えば、服装、形状）を解析し、監視対象特徴抽出手段８４は、解析された外観に基づいて特徴を抽出する監視対象を絞り込んでもよい。そのような構成によれば、カメラ間で関係性の低い監視対象の特徴を抽出する処理を抑制できるため、データ量および抽出処理の計算量も抑制できる。
【００７８】
また、第２撮影手段７０は、人を監視対象として撮影した監視対象画像を生成し、監視対象特徴抽出手段８４は、監視対象画像から人の顔特徴を抽出してもよい。
【００７９】
また、対象物監視システムは、特定の状態の種類（例えば、ゴミ捨て）ごとに、監視対象特徴抽出手段８４が複数の監視対象画像から抽出した各監視対象の特徴同士を比較して、高頻度で現れると推定される監視対象を対象物として特定する対象物特定手段（例えば、対象物特定手段２０）を備えていてもよい。
【００８０】
このとき、対象物特定手段は、同一と推定される特徴が予め定められた件数以上抽出された監視対象を対象物と特定してもよい。また、監視対象特徴抽出手段８４は、監視対象の特徴とともにその監視対象の確からしさを示す確度を算出し、対象物特定手段は、その確度を用いて監視対象を特定してもよい。
【００８１】
なお、本発明による対象物監視システムは、図５に例示する時刻予測手段８３を備えていなくてもよい。図６は、本発明による対象物監視システムの他の概要を示すブロック図である。図６に例示する対象物監視システムは、第１撮影手段６０（例えば、状態検出用カメラ１１）と、第２撮影手段７０（例えば、監視対象抽出用カメラ１３）と、特定状態検出手段８１（例えば、特定状態検出手段１５）と、監視対象解析手段８２（例えば、監視対象解析手段１６）と、監視対象の状況に基づいて、監視対象画像から監視対象の特定に用いられる特徴を抽出する監視対象特徴抽出手段８５（例えば、監視対象特徴抽出手段１８）とを備えている。
【００８２】
なお、第１撮影手段６０、第２撮影手段７０、特定状態検出手段８１および監視対象解析手段８２の内容は、図５に例示する各手段の内容と同様である。そのような構成によっても、設置されたカメラで撮影される画像から、特定の状態を発生させる原因と考えられる対象物を自動的に収集できる。
【００８３】
また、図７は、本発明による監視対象抽出装置の概要を示すブロック図である。図７に例示する監視対象抽出装置は、特定状態検出手段８１（例えば、特定状態検出手段１５）と、監視対象解析手段８２（例えば、監視対象解析手段１６）と、時刻予測手段８３（例えば、時刻予測手段１７）と、監視対象特徴抽出手段８４（例えば、監視対象特徴抽出手段１８）とを備えている。
【００８４】
特定状態検出手段８１、監視対象解析手段８２、時刻予測手段８３および監視対象特徴抽出手段８４の内容は、図５に例示する各手段の内容と同様である。そのような構成によっても、設置されたカメラで撮影される画像から、特定の状態を発生させる原因と考えられる対象物を自動的に収集できる。
【００８５】
なお、本発明による監視対象抽出装置は、図７に例示する時刻予測手段８３を備えていなくてもよい。図８は、本発明による監視対象抽出装置の他の概要を示すブロック図である。図８に例示する監視対象抽出装置は、特定状態検出手段８１（例えば、特定状態検出手段１５）と、監視対象解析手段８２（例えば、監視対象解析手段１６）と、監視対象特徴抽出手段８５（例えば、監視対象特徴抽出手段１８）とを備えている。
【００８６】
特定状態検出手段８１および監視対象解析手段８２の内容は、図５に例示する各手段の内容と同様である。また、監視対象特徴抽出手段８５の内容は、図７に例示する手段の内容と同様である。そのような構成によっても、設置されたカメラで撮影される画像から、特定の状態を発生させる原因と考えられる対象物を自動的に収集できる。
【００８７】
また、上記の実施形態の一部又は全部は、以下の付記のようにも記載されうるが、以下には限られない。
【００８８】
（付記１）第一の範囲で生じる状態を撮影する第１撮影手段が撮影した状態画像から特定の状態を検出する特定状態検出手段と、前記特定の状態が検出された状態画像を用いて、監視対象の状況を解析する監視対象解析手段と、前記監視対象の状況に基づいて、第二の範囲に存在する監視対象を撮影する第２撮影手段によって撮影される監視対象画像から、前記監視対象の特定に用いられる特徴を抽出する監視対象特徴抽出手段とを備えたことを特徴とする監視対象抽出装置。
【００８９】
（付記２）監視対象の状況から、第２撮影手段が撮影する第二の範囲に当該監視対象が現れる時刻を予測する時刻予測手段を備え、監視対象特徴抽出手段は、前記時刻予測手段によって予測された時刻に基づいて決定される期間に前記第２撮影手段によって撮影される監視対象画像から、前記監視対象の特定に用いられる特徴を抽出する付記１記載の監視対象抽出装置。
【００９０】
（付記３）監視対象解析手段は、特定の状態が検出された状態画像を用いて、監視対象の移動状況を解析し、時刻予測手段は、前記移動状況に基づいて、第二の範囲に当該監視対象が現れる時刻を予測する付記２記載の監視対象抽出装置。
【００９１】
（付記４）過去に生成された過去状態画像を記憶する過去状態画像記憶手段を備え、監視対象解析手段は、特定の状態が検出された状態画像および当該状態画像が撮影される前の所定の期間内に撮影された前記過去状態画像を用いて、監視対象の移動状況を解析する付記３記載の監視対象抽出装置。
【００９２】
（付記５）監視対象解析手段は、監視対象の外観を解析し、監視対象特徴抽出手段は、解析された外観に基づいて特徴を抽出する監視対象を絞り込む付記１から付記４のうちのいずれか１つに記載の監視対象抽出装置。
【００９３】
（付記６）監視対象特徴抽出手段は、第２撮影手段が人を監視対象として撮影した監視対象画像から人の顔特徴を抽出する付記１から付記５のうちのいずれか１つに記載の監視対象抽出装置。
【００９４】
（付記７）特定の状態の種類ごとに、監視対象特徴抽出手段が複数の監視対象画像から抽出した各監視対象の特徴同士を比較して、高頻度で現れると推定される監視対象を対象物として特定する対象物特定手段を備えた付記１から付記６のうちのいずれか１つに記載の監視対象抽出装置。
【００９５】
（付記８）対象物特定手段は、同一と推定される特徴が予め定められた件数以上抽出された監視対象を対象物と特定する付記７記載の監視対象抽出装置。
【００９６】
（付記９）監視対象特徴抽出手段は、監視対象の特徴とともに当該監視対象の確からしさを示す確度を算出し、対象物特定手段は、前記確度を用いて監視対象を特定する付記７または付記８記載の監視対象抽出装置。
【００９７】
（付記１０）第一の範囲で生じる状態を撮影した状態画像を生成し、前記状態画像から特定の状態を検出し、前記特定の状態が検出された状態画像を用いて、監視対象の状況を解析し、前記監視対象の状況に基づいて、前記第二の範囲に存在する監視対象を撮影した監視対象画像を生成し、前記監視対象画像から前記監視対象の特定に用いられる特徴を抽出することを特徴とする対象物監視方法。
【００９８】
（付記１１）監視対象の状況から、第二の範囲に当該監視対象が現れる時刻を予測し、予測された時刻に基づいて決定される期間に、前記第二の範囲に存在する監視対象を撮影した監視対象画像を生成し、前記監視対象画像から前記監視対象の特定に用いられる特徴を抽出する付記１０記載の対象物監視方法。
【００９９】
（付記１２）特定の状態が検出された状態画像を用いて、監視対象の移動状況を解析し、前記移動状況に基づいて、第二の範囲に当該監視対象が現れる時刻を予測する付記１１記載の対象物監視方法。
【０１００】
（付記１３）特定の状態が検出された状態画像および当該状態画像が撮影される前の所定の期間内に撮影された過去の状態画像を用いて、監視対象の移動状況を解析する付記１２記載の対象物監視方法。
【０１０１】
（付記１４）監視対象の外観を解析し、解析された外観に基づいて特徴を抽出する監視対象を絞り込む付記１０から付記１３のうちのいずれか１つに記載の対象物監視方法。
【０１０２】
（付記１５）第２撮影手段が人を監視対象として撮影した監視対象画像から人の顔特徴を抽出する付記１０から付記１４のうちのいずれか１つに記載の対象物監視方法。
【０１０３】
（付記１６）特定の状態の種類ごとに、複数の監視対象画像から抽出された各監視対象の特徴同士を比較して、高頻度で現れると推定される監視対象を対象物として特定する付記１０から付記１５のうちのいずれか１つに記載の対象物監視方法。
【０１０４】
（付記１７）同一と推定される特徴が予め定められた件数以上抽出された監視対象を対象物と特定する付記１６記載の対象物監視方法。
【０１０５】
（付記１８）監視対象の特徴とともに当該監視対象の確からしさを示す確度を算出し、当該確度を用いて監視対象を特定する付記１６または付記１７記載の対象物監視方法。
【０１０６】
（付記１９）第一の範囲で生じる状態を撮影する第１撮影手段が撮影した状態画像から特定の状態を検出し、前記特定の状態が検出された状態画像を用いて、監視対象の状況を解析し、前記監視対象の況に基づいて、第二の範囲に存在する監視対象を撮影する第２撮影手段によって撮影される監視対象画像から、前記監視対象の特定に用いられる特徴を抽出することを特徴とする監視対象抽出方法。
【０１０７】
（付記２０）監視対象の状況から、第２撮影手段が撮影する第二の範囲に当該監視対象が現れる時刻を予測し、予測された時刻に基づいて決定される期間に前記第２撮影手段によって撮影される監視対象画像から、前記監視対象の特定に用いられる特徴を抽出する付記１９記載の監視対象抽出方法。
【０１０８】
（付記２１）特定の状態が検出された状態画像を用いて、監視対象の移動状況を解析し、前記移動状況に基づいて、第二の範囲に当該監視対象が現れる時刻を予測する付記２０記載の監視対象抽出方法。
【０１０９】
（付記２２）特定の状態が検出された状態画像および当該状態画像が撮影される前の所定の期間内に撮影された過去の状態画像を用いて、監視対象の移動状況を解析する付記２１記載の監視対象抽出方法。
【０１１０】
（付記２３）監視対象の外観を解析し、解析された外観に基づいて特徴を抽出する監視対象を絞り込む付記１９から付記２２のうちのいずれか１つに記載の監視対象抽出方法。
【０１１１】
（付記２４）第２撮影手段が人を監視対象として撮影した監視対象画像から人の顔特徴を抽出する付記１９から付記２３のうちのいずれか１つに記載の監視対象抽出方法。
【０１１２】
（付記２５）特定の状態の種類ごとに、複数の監視対象画像から抽出された各監視対象の特徴同士を比較して、高頻度で現れると推定される監視対象を対象物として特定する付記１９から付記２４のうちのいずれか１つに記載の監視対象抽出方法。
【０１１３】
（付記２６）同一と推定される特徴が予め定められた件数以上抽出された監視対象を対象物と特定する付記２５記載の監視対象抽出方法。
【０１１４】
（付記２７）監視対象の特徴とともに当該監視対象の確からしさを示す確度を算出し、当該確度を用いて監視対象を特定する付記２５または付記２６記載の監視対象抽出方法。
【０１１５】
（付記２８）コンピュータに、第一の範囲で生じる状態を撮影する第１撮影手段が撮影した状態画像から特定の状態を検出する特定状態検出処理、前記特定の状態が検出された状態画像を用いて、監視対象の状況を解析する監視対象解析処理、および、前記監視対象の況に基づいて、第二の範囲に存在する監視対象を撮影する第２撮影手段によって撮影される監視対象画像から、前記監視対象の特定に用いられる特徴を抽出する監視対象抽出処理を実行させるための監視対象抽出プログラム。
【０１１６】
（付記２９）コンピュータに、監視対象の状況から、第２撮影手段が撮影する第二の範囲に当該監視対象が現れる時刻を予測する時刻予測処理を実行させ、監視対象特徴抽出処理で、予測された時刻に基づいて決定される期間に前記第２撮影手段によって撮影される監視対象画像から、前記監視対象の特定に用いられる特徴を抽出させる付記２８記載の監視対象抽出プログラム。
【０１１７】
（付記３０）コンピュータに、監視対象解析処理で、特定の状態が検出された状態画像を用いて、監視対象の移動状況を解析させ、時刻予測処理で、前記移動状況に基づいて、第二の範囲に当該監視対象が現れる時刻を予測させる付記２９記載の監視対象抽出プログラム。
【０１１８】
（付記３１）コンピュータに、監視対象解析処理で、特定の状態が検出された状態画像および当該状態画像が撮影される前の所定の期間内に撮影された過去の状態画像を用いて、監視対象の移動状況を解析させる付記３０記載の監視対象抽出プログラム。
【０１１９】
（付記３２）コンピュータに、監視対象解析処理で、監視対象の外観を解析させ、監視対象特徴抽出処理で、解析された外観に基づいて特徴を抽出する監視対象を絞り込ませる付記２８から付記３１のうちのいずれか１つに記載の監視対象抽出プログラム。
【０１２０】
（付記３３）コンピュータに、監視対象特徴抽出処理で、第２撮影手段が人を監視対象として撮影した監視対象画像から人の顔特徴を抽出させる付記２８から付記３２のうちのいずれか１つに記載の監視対象抽出プログラム。
【０１２１】
（付記３４）コンピュータに、特定の状態の種類ごとに、監視対象特徴抽出処理で複数の監視対象画像から抽出された各監視対象の特徴同士を比較して、高頻度で現れると推定される監視対象を対象物として特定する対象物特定処理を実行させる付記２８から付記３３のうちのいずれか１つに記載の監視対象抽出プログラム。
【０１２２】
（付記３５）コンピュータに、対象物特定処理で、同一と推定される特徴が予め定められた件数以上抽出された監視対象を対象物と特定させる付記３４記載の監視対象抽出プログラム。
【０１２３】
（付記３６）コンピュータに、監視対象特徴抽出処理で、監視対象の特徴とともに当該監視対象の確からしさを示す確度を算出させ、対象物特定処理で、前記確度を用いて監視対象を特定させる付記３４または付記３５記載の監視対象抽出プログラム。
【０１２４】
（付記３７）第１のカメラと、第２のカメラと、前記第１のカメラから得られた画像で特定の状態が発生した際の監視対象の状況に基づいて、前記第２のカメラから得られた画像から前記監視対象の候補を抽出する抽出手段とを含むことを特徴とする監視システム。
【０１２５】
（付記３８）前記第１のカメラは、前記第２のカメラと比較してより広い範囲を撮影する付記３７記載の監視システム。
【０１２６】
（付記３９）前記第１のカメラは、前記第２のカメラより高い俯角で設置される付記３８記載の監視システム。
【０１２７】
（付記４０）第１のカメラから得られた画像で特定の状態が発生した際の監視対象の状況に基づいて、第２のカメラから得られた画像から前記監視対象の候補を抽出することを特徴とする監視方法。
【０１２８】
（付記４１）前記第１のカメラは、前記第２のカメラと比較してより広い範囲を撮影する付記４０記載の監視方法。
【０１２９】
（付記４２）前記第１のカメラは、前記第２のカメラより高い俯角で設置される付記４１記載の監視方法。
【０１３０】
（付記４３）コンピュータに、第１のカメラから得られた画像で特定の状態が発生した際の監視対象の状況に基づいて、第２のカメラから得られた画像から前記監視対象の候補を抽出する抽出処理を実行させるための監視対象抽出プログラム。
【０１３１】
（付記４４）コンピュータに、抽出処理で、第２のカメラと比較してより広い範囲を撮影する第１のカメラから得られた画像で特定の状態が発生した際の監視対象の状況に基づいて、前記第２のカメラから得られた画像から前記監視対象の候補を抽出させる付記４３記載の監視対象抽出プログラム。
【０１３２】
（付記４５）コンピュータに、抽出処理で、第２のカメラより高い俯角で設置される第１のカメラから得られた画像で特定の状態が発生した際の監視対象の状況に基づいて、前記第２のカメラから得られた画像から前記監視対象の候補を抽出させる付記４４記載の監視対象抽出プログラム。
【０１３３】
以上、実施形態及び実施例を参照して本願発明を説明したが、本願発明は上記実施形態および実施例に限定されるものではない。本願発明の構成や詳細には、本願発明のスコープ内で当業者が理解し得る様々な変更をすることができる。
【０１３４】
この出願は、２０１３年３月２９日に出願された日本特許出願２０１３−０７０９６１を基礎とする優先権を主張し、その開示の全てをここに取り込む。
【符号の説明】
【０１３５】
１１  状態検出用カメラ
１２  状態画像記憶手段
１３  監視対象抽出用カメラ
１４  監視対象画像記憶手段
１５  特定状態検出手段
１６  監視対象解析手段
１７  時刻予測手段
１８  監視対象特徴抽出手段
１９  グレーリスト記憶手段
２０  対象物特定手段
【図１】
0006508041.tif 000002
【図２】
0006508041.tif 000003
【図３】
0006508041.tif 000004
【図４】
0006508041.tif 000005
【図５】
0006508041.tif 000006
【図６】
0006508041.tif 000007
【図７】
0006508041.tif 000008
【図８】
0006508041.tif 000009